(57)【要約】【課題】原画像を縮小表示してディスプレイ上で画質調整し、ディスプレイより大きいデバイスへ画像を出力する画像処理装置において、同じ画像であるにもかかわらず、出力デバイスの大きさにより見え方が異なってしまう。【解決手段】画像の画質パラメータを調整する調整手段と、前記調整された画質パラメータに基づいて、入力画像の画質を変更する画質変更手段と、前記画質が変更された画像を外部へ出力する画像出力手段と、前記画質が変更された画像を縮小する画像縮小手段と、前記縮小された画像を表示する画像表示手段を有し、前記画像縮小手段は画像の縮小率に応じて、縮小する画像の高周波成分を小さくすることを特徴とする画像処理装置を提供する。【選択図】図６
2013135365.tif 000002
【特許請求の範囲】
【請求項１】
画像の画質パラメータを調整する調整手段と、
前記調整された画質パラメータに基づいて、入力画像の画質を変更する画質変更手段と、
前記画質が変更された画像を外部へ出力する画像出力手段と、
前記画質が変更された画像を縮小する画像縮小手段と、
前記縮小された画像を表示する画像表示手段を有し、
前記画像縮小手段は画像の縮小率に応じて、縮小する画像の高周波成分を小さくすることを特徴とする画像処理装置。
【請求項２】
前記画質が変更された画像と前記縮小された画像のそれぞれの単位面積あたりの高周波成分の割合を示す鮮鋭度を算出する手段をさらに有し、前記画像縮小手段は前記算出された２つの鮮鋭度が等しくなるように、縮小する画像の高周波成分を小さくすることを特徴とする、請求項１記載の画像処理装置。
【請求項３】
前記画質が変更された画像と前記縮小された画像のそれぞれを観察する画角を入力する手段をさらに有し、前記画像縮小手段は前記入力された２つの画角に応じて、縮小する画像の高周波成分を小さくすることを特徴とする、請求項１記載の画像処理装置。
【請求項４】
画像の画質パラメータを調整する調整手段と、
前記調整された画質パラメータに基づいて、入力画像の画質を変更する画質変更手段と、
前記画質が変更された画像を外部へ出力する画像出力手段と、
前記入力画像を縮小する画像縮小手段と、
前記調整された画質パラメータに基づいて、前記縮小された画像の画質を変更する第２の画質変更手段と、
前記第２の画質変更手段により画質が変更された画像を表示する画像表示手段を有し、
前記画像縮小手段は画像の縮小率に応じて、縮小する画像の高周波成分を小さくすることを特徴とする画像処理装置。
【請求項５】
前記画質が変更された画像を観察する場合の画像階調に対応する輝度の関係と、前記画像表示手段で画像を表示する場合の画像階調に対応する輝度の関係は、視覚的に同じであることを特徴とする、請求項１〜４のいずれか１項記載の画像処理装置。
【請求項６】
前記入力画像の被写体情報を入力する手段をさらに有し、さらに前記画像縮小手段は高周波低減フィルタを有し、前記高周波低減フィルタのフィルタ係数は前記入力された被写体情報に応じて変更されることを特徴とする、請求項１〜５のいずれか１項記載の画像処理装置。
【請求項７】
前記鮮鋭度を算出する手段は、エントロピーを用いて鮮鋭度を算出することを特徴とする、請求項２記載の画像処理装置。
【請求項８】
前記入力画像とはＸ線画像であることを特徴とする、請求項１〜７のいずれか１項記載の画像処理装置。
【請求項９】
前記画質が変更された画像を観察する際はフィルムを観察することを特徴とする、請求項３または５記載の画像処理装置。
【請求項１０】
前記画像階調に対応する輝度の関係はBartenカーブであることを特徴とする、請求項５記載の画像処理装置。
【請求項１１】
画像の画質パラメータを調整する調整ステップと、
前記調整された画質パラメータに基づいて、入力画像の画質を変更する画質変更ステップと、
前記画質が変更された画像を外部へ出力する画像出力ステップと、
前記画質が変更された画像を縮小する画像縮小ステップと、
前記縮小された画像を表示する画像表示ステップを有し、
前記画像縮小ステップは画像の縮小率に応じて、縮小する画像の高周波成分を小さくすることを特徴とする画像処理方法。
【請求項１２】
画像の画質パラメータを調整する調整ステップと、
前記調整された画質パラメータに基づいて、入力画像の画質を変更する画質変更ステップと、
前記画質が変更された画像を外部へ出力する画像出力ステップと、
前記入力画像を縮小する画像縮小ステップと、
前記調整された画質パラメータに基づいて、前記縮小された画像の画質を変更する第２の画質変更ステップと、
前記第２の画質変更ステップにより画質が変更された画像を表示する画像表示ステップを有し、
前記画像縮小ステップは画像の縮小率に応じて、縮小する画像の高周波成分を小さくすることを特徴とする画像処理方法。
【請求項１３】
コンピュータを、請求項１〜１０のいずれか１項に記載の画像処理装置に記載の各手段として機能させるためのプログラム。
【発明の詳細な説明】
【技術分野】
【０００１】
本発明は、放射線画像技術において、画像の画質に関する画質パラメータを調整する画像処理装置、画像処理方法、プログラム、及び当該プログラムを記録したコンピュータ読取可能な記憶媒体に関する。
【背景技術】
【０００２】
画像の画質に関与する画質パラメータを、ユーザがモニタ画面を見ながら調整して、画像を印刷するシステムが利用されている。このシステムの多くは、特許文献１のようにモニタ画面の色味と印刷物の色味が同じになるように工夫されている。ところがモニタ画面が小さく、これに比較して印刷物が大きい場合、色味が同じであっても、モニタ画面で調整した画像の雰囲気と印刷物の画像の雰囲気が異なり、違和感を生じることが多い。モニタ画面で調整した画像は微細構造などの細部が鮮鋭化されているが、印刷物の画像では細部が鮮鋭化されていないためである。これは、画像を縮小すると周波数が高くなることに起因している。
【０００３】
図１を用いて、原寸大表示である印刷物をモニタ画面へ縮小表示する場合に、周波数が高くなることを説明する。図１は、印刷物とモニタ画面の大きさが 3：1 の場合である。印刷物とモニタ画面の大きさの関係は図１(a)であり、印刷物の幅を１周期とするSin波を、モニタ画面の幅を１周期とする大きさに縮小したときの様子が図１(b)である。図１(b)を見て分かるように、縮小しても振幅は同じであるが周波数が高くなっている。このケースでは周波数は３倍高くなっている。このように、原寸大表示をモニタ画面に縮小表示すると画像全体の周波数が高くなるため、モニタ画面で調整完了した画像は、鮮鋭度が高い。ところが原寸大表示は、モニタ画面で調整完了した画像と比較して鮮鋭度が低いため、両者の画像の雰囲気が異なり違和感を生じてしまう。
【０００４】
放射線画像分野では、半切サイズと呼ばれる１４インチ×１７インチのフィルムを印刷物として使用しており、モニタ画面で調整した画像の雰囲気を損なわずに、フィルム出力することが求められている。フィルムを出力してみて初めて鮮鋭度が不足していることに気づき、調整作業に戻り、モニタ画面で鮮鋭度を高めに設定して再出力しなければならず、作業効率が悪い。
【先行技術文献】
【特許文献】
【０００５】
【特許文献１】特開２００６−２６２４７１
【特許文献２】特開２０００−０７６４３１
【発明の開示】
【発明が解決しようとする課題】
【０００６】
モニタ画面で調整完了した画像の雰囲気と印刷物の画像の雰囲気が同じになることを目的とした発明として、特許文献２がある。この発明は、縮小表示用の画質パラメータと出力用の画質パラメータの２つを用意しておき、視覚的に同等になるようにパラメータを変換する変換部を持つ装置である。この装置の構成はたとえば図２であり、変換部はR112’である。しかしながら、画質パラメータの項目数が多い場合、視覚的に同等になるような変換ルールを決めることは容易ではない。まず縮小率が決まっており、かつ項目数が１つ（たとえばノイズ低減）である場合を想定する。ノイズ低減の効果が１０段階であるとすると、縮小表示用の１０段階を、出力用の１０段階へ変換するルールは、単純に２倍とか1/4倍に決まらず、段階毎に縮小表示と出力表示を見比べながら、視覚的に同等になるように変換ルールを決めることになる。次に項目数が２つの場合を考える。画質パラメータの各項目が視覚的に独立していることは少なく、各項目が１０段階を有している場合は、10×10=100個の組み合わせについて、縮小表示と出力表示を見比べながら、視覚的に同等になるように変換ルールを決めることになる。同様に、項目数がＮ個で、各項目がＡ段階を有している場合は、A^N個の組み合わせについて、視覚的に同等になるような変換ルールを見つけなければならない。このように画質パラメータの項目数が多い場合は、視覚的に同等になるような変換ルールを決める作業が大変になる。
【０００７】
また、従来の装置は、縮小率や解像度に関与して画質パラメータを変更している。視覚的に同等になるようにするためには、画像観察の距離と画像の大きさを考慮すべきである。図３は、２つの異なる距離に配置したモニタ１とモニタ２に画像を表示したときのモニタ画面上の輝度分布である。モニタ１は観察者の目から距離r1にあり、画面の幅はy1である。モニタ２は観察者の目から距離r2にあり、画面の幅はy2である。モニタ２は画像を原寸大表示しており、モニタ１は縮小表示している。r1、y1、r2、y2 の関係は、r1：y1 = r2：y2 である。輝度分布は幅方向に相似形であり、輝度の最大値は同じである。この関係の場合、モニタ１に表示されている画像の雰囲気とモニタ２に表示されている画像の雰囲気は、ほぼ同じである。モニタ１の解像度がモニタ２の解像度のr2/r1倍以上を有していれば、モニタ１の画像とモニタ２の画像を視覚的に区別することはできなくなる。
【０００８】
ここでモニタの解像度とは、単位長さあたりの画素数のことである。1画素の長さの逆数である。画像表示部で表示している画像の長さと画素数が既知であれば計算可能である。たとえば、ある液晶モニタに100×100の画素数の画像が 1cm×1cmの大きさで表示された場合の解像度は、100 [/ cm] である。この図３のように縮小表示していても、画像観察の状況によっては画質パラメータを変更しなくても視覚的に同等であるケースが存在する。
【０００９】
以上説明した課題に鑑み、本発明の目的は、モニタ画面で調整完了した画像の雰囲気と印刷物の画像の雰囲気が同じになる装置を提供することである。
【課題を解決するための手段】
【００１０】
上記の目的を達成するために、本発明は、画像の画質パラメータを調整する調整手段と、前記調整された画質パラメータに基づいて、入力画像の画質を変更する画質変更手段と、前記画質が変更された画像を外部へ出力する画像出力手段と、前記画質が変更された画像を縮小する画像縮小手段と、前記縮小された画像を表示する画像表示手段を有し、前記画像縮小手段は画像の縮小率に応じて、縮小する画像の高周波成分を小さくすることを特徴とする画像処理装置を提供する。
【発明の効果】
【００１１】
本発明により、ユーザに特別な負担をかけることなく、モニタ画面で調整完了した画像の雰囲気と印刷物の画像の雰囲気を同じにすることが可能となる。
【図面の簡単な説明】
【００１２】
【図１】画像を縮小すると周波数が高くなることを説明する図である。
【図２】従来技術の画像処理装置の機能ブロック図である。
【図３】画角が同じ場合のモニタの位置関係を表している図である。
【図４】本発明の実施の形態に係る画像処理システムの全体構成図である。
【図５】図４のシステムにおける画像生成装置の機能ブロック図である。
【図６】実施例１に係る画像処理装置の機能ブロック図である。
【図７】実施例１おける画像処理装置の動作を示すフローチャートである。
【図８】画像表示調整ＧＵＩの説明図である。
【図９】高周波低減フィルタの特性の一例を説明するための補足図である。
【図１０】モニタに表示するテストパターンの説明図である。
【図１１】実施例２に係る画像処理装置の機能ブロック図である。
【図１２】実施例２における画像処理装置の動作を示すフローチャートである。
【図１３】実施例３に係る画像処理装置の機能ブロック図である。
【図１４】実施例３における画像縮小処理のフローチャートである。
【図１５】実施例４に係る画像処理装置の機能ブロック図である。
【図１６】実施例４における画像縮小処理のフローチャートである。
【発明を実施するための形態】
【００１３】
図４に、本発明の実施の形態に係る画像処理システムの全体構成を示す。図４において、コンピュータPCはネットワークＮを介して１つ或いは複数の画像生成装置MDに接続されている。または、不図示の撮影装置により撮影された画像が予めファイルサーバFSに保存されており、それを画像生成装置として同等に扱えるようにしても、本発明を全く同じように適用することができる。図４では画像生成装置MDはネットワークＮを介してコンピュータPCと接続されているが、ネットワークを介することなく接続されていてもよい。たとえばコンピュータPCと画像生成装置MDが１対１の直結で接続されていてもよい。画像生成装置MDは後述する図５において、画像生成装置R500として説明する。
【００１４】
コンピュータPCは、CPU、RAM、ROM、ハードディスクHD、ハードウエアアクセラレータACC、バスBUSを備える。また、コンピュータＰＣには、光磁気ディスクMO、マウスMS、キーボードKB、プリンタPR及び表示装置MONが接続される。
【００１５】
図５に、画像生成装置R500の構成を示す。X線発生部R501がX線を照射し、照射されたX線は被写体を透過しさらにグリッドR502を通過して、X線センサ部R503に到達する。X線センサ部R503は、到達したX線を電気信号に変換することによりＸ線画像を取得する。次にＸ線センサ部に付随する不図示の対数変換部が、Ｘ線画像を対数画像へ変換し、この対数画像を画像生成装置R500から出力する。出力した対数画像は後述する画像処理装置R100に入力される。
【００１６】
＜実施例１＞
図６に、実施例１に係る画像処理装置R100の機能ブロックを示す。画像処理装置R100は、図４に示すコンピュータPCおよびその周辺機器により実現することができる。一例として、画像処理装置R100は、ハードディスクHDに格納されたプログラムおよび表示装置MONとして実現することができる。この場合、不図示のユーザ入力により、記憶装置（ハードディスクHD、RAMまたはROM）に保存されたプログラムがRAMに読み出され、CPUがRAM内のプログラムを順次実行して各機能を実現する。画像処理の結果は表示装置MONに表示される。ここで、表示装置MONは、例えば、ＣＲＴモニタ、液晶ディスプレイ等を用いることができる。プログラムはハードディスクHD等の内部記憶装置に保存されることに限定される必要はなく、外部記憶装置としてコンピュータPCに接続された光磁気ディスクMO、あるいはネットワークを介して接続されるファイルサーバFSに記憶されるようにしてもよい。また、画像処理装置R100は、部分あるいは全てをコンピュータPCに搭載された専用のハードウエアアクセラレータACCとして実現するようにしてもよい。
【００１７】
図７は、本実施例に係る画像処理装置の動作を示すフローチャートである。以下に、図６の各ブロックの機能を、図７のフローチャート順に説明する。図７の各ステップは、コンピュータPCの記憶装置（ハードディスクHDなど）に格納されており、コンピュータPCのCPUが、各ステップの動作を記述したプログラムを読み出してフローチャート順に実行する。
【００１８】
図７の処理は、図５の画像生成装置R500に接続されている、不図示のＸ線照射ボタンがユーザに押されたことがトリガーとなって開始される。まず、ステップS101では、図５のX線発生部R501が照射してX線センサ部R503に到達したX線をX線センサ部R503が電気信号に変換することによりＸ線画像を取得する。次にＸ線センサ部に付随する不図示の対数変換部が、Ｘ線画像を対数画像へ変換し、この対数画像を画像生成装置R500から出力する。出力した対数画像は画像処理装置R100の入力画像となる。
【００１９】
ステップS102では、画質変更処理部R110が、ステップS101で画像処理装置R100に入力された画像の画質を、図８の画像表示調整GUI部R140で設定された画質パラメータに基づいて変更し、画像１を出力する。本実施例では、画像表示調整GUI部R140は、画質をコントロールする画質パラメータと画像表示の幾何学変換をコントロールする幾何学変換パラメータを調整する。画質パラメータは、図８に示す例では、ブライトネス、コントラスト、シャープネス、ソフトネス、ノイズ除去及びエッジ強調である。幾何学変換パラメータは、ズーム倍率及び回転である。以下、画質パラメータと幾何学変換パラメータを併せたパラメータ群を「画像表示パラメータ」と表記する。
【００２０】
ステップS103では、画像縮小処理部R200が画像１を縮小して、画像２を出力する。画像縮小処理部R200は、まず、画像表示調整GUI部で設定されているズーム倍率に基づいて、エリアシング除去フィルタR201によりエリアシング成分を除去する。次にズーム倍率に基づいて、高周波低減フィルタR202により高周波成分を除去する。最後に間引き処理部R203により画像を間引きして、縮小画像を作成する。ここでエリアシング除去フィルタR201は、間引き処理部R203の前段で実行しなければならない。一方、高周波低減フィルタR202は間引き処理部R203の前段で実行しても後段で実行してもよく、エリアシング除去フィルタR201の前段で実行しても後段で実行してもよい。なお本実施例ではズーム倍率と縮小率は同じ意味で使用している。ズーム倍率が0.1は、縮小率が0.1であり、ズーム倍率が1.0は、縮小率1.0である。縮小率が1.0は、画像を縮小しないことを意味し、縮小率0.1は、画像の縦と横のアスペクト比を維持したまま、辺の画素数を 10分の１へ変換することを意味している。たとえば、画像１の大きさが100x100ピクセルの場合、縮小率0.1の場合、画像２の大きさは 10x10 ピクセルになる。
【００２１】
ここで高周波低減フィルタR202の役目は、縮小処理により生じる高周波成分の増大を抑制することである。背景技術の項で図１を用いて具体的に説明したように、縮小率が1/3の場合、縮小処理により画像の周波数成分(印刷物の周波数成分)が、高周波方向へ全体的に３倍高くなる。そのため画像は同じであるにもかかわらず、縮小表示するか否かにより、画像の雰囲気が異なってしまう。雰囲気をほぼ同じにするために、高周波低減フィルタにより高周波成分を抑制する。縮小率が1.0に近いほど、高周波低減フィルタのカットオフ周波数は高く、縮小率が0に近いほど、カットオフ周波数は低くなる。カットオフ周波数は、画像に写りこんでいる被写体に基づいて変更させてもよい。たとえば被写体情報を取得して、被写体に基づいて図９(a)(b)のように、カットオフ周波数の特性を変更してもよい。
【００２２】
ステップS104では、画像表示部R130が画像２を表示する。本実施例では画像表示部に画像２を表示する画像の大きさを、画像表示調整GUI部R140でユーザが調整できる構成にしているが、この大きさは固定でもよい。この場合、縮小率は固定となり、 画像表示調整GUI部R140のズーム倍率調整ＧＵＩは非表示にする。
【００２３】
ステップS105では、画像表示調整GUI部R140のパラメータが変化するか、または、出力を指示されるまで待機する。ステップS105からステップS106へ進むのは、ユーザが画像表示調整GUI部R140を操作してパラメータが変化した場合、または、ユーザが出力を指示した場合である。
【００２４】
ステップS106では、出力を指示されたかどうかを判断する。出力を指示されていない場合は、画像表示調整GUI部R140のパラメータが変化した場合であり、ステップS102に戻って、画像の画質を変更する。出力を指示されている場合は、ステップS110へ進む。
【００２５】
ステップS110では、画像出力部R120が画像１に属性情報を付加して、出力画像として外部装置R300へ出力し、図７の処理は終了する。ここで属性情報とは、たとえば縦と横のピクセル数や、医用画像におけるDICOM属性情報であり、画像に関係する付随情報である。
【００２６】
なお、画像１を観察する場合の画像階調に対応する輝度の関係と、画像表示手段で画像を表示する場合の画像階調に対応する輝度の関係は、視覚的に同じであることが望ましい。画像１を観察するためのデバイスをデバイス１、画像表示手段をデバイス２とすると、次のように言い換えることができる。デバイス１の画像階調に対応する輝度の関係と、デバイス２の画像階調に対応する輝度の関係は、視覚的に同じであることが望ましい。
【００２７】
ここで「デバイス１の画像階調に対応する輝度の関係と、デバイス２の画像階調に対応する輝度の関係は、視覚的に同じ」という意味を図１０(a)(b)の画像を表示する場合で説明する。図１０(a)は、画像の外観である。図１０(a)の各領域は、図１０(b)のようにＡ、Ｂ、Ｃ、Ｄのように定義されている。「視覚的に同じ」とは、領域Ａと領域Ｂの輝度差を知覚する刺激量をE1、領域Ｃと領域Ｄの輝度差を知覚する刺激量をE2とすると、どんな出力デバイスでも E1：E2である状態を言う。もしも、図１０(a)の画像の階調が、A=0、B=100、C=100、D=200である場合は、E1：E2 = 1：1 となる。刺激量が同じであるから、デバイス１で領域Ｂを知覚できた場合は、デバイス１で領域Ｄも知覚できることを意味する。さらに、デバイス２で領域Ｂを知覚できた場合は、デバイス２の領域Ｄも知覚できることを意味する。人間の視覚特性は、周辺が暗い場合と明るい場合で異なり、暗い場合は少しの輝度差を知覚することができるが、明るい場合は輝度差が大きくないと知覚できないという性質を持っている。従って、画像階調に対応する輝度の関係がある一定の関係のときに、「視覚的に同じ」という状態を作ることができる。
【００２８】
たとえば図１０(c)のように、同じ大きさのディスプレイ、最低輝度 0[cd/m^2] 最高輝度300 [cd/m^2]のディスプレイ１と、最低輝度 0[cd/m^2] 最高輝度500 [cd/m^2]のディスプレイ２がある場合を想定する。この場合、「視覚的に同じ」状態を作り出すことにより、画像階調に関する違和感を緩和することが可能である。「視覚的に同じ」状態を作り出すことができる画像階調に対応する輝度の関係は、たとえばBartenカーブがある。Bartenカーブは、医用画像表示で用いられることが多い。なお、画像１を観察する場合のデバイスは、ディスプレイのような発光体デバイスだけでなく、フィルムとシャーカステンとの組み合わせのような観察デバイスも含む。
【００２９】
＜実施例２＞
図１１は、実施例２に係る画像処理装置R100の機能ブロック図である。図１２は、本実施例に係る画像処理装置の動作を示すフローチャートである。実施例１と本実施例とで図の符号番号が同じブロックは、同一であることを意味し、図の紙面スペースの関係上、一部の記載を省略してある。以下では実施例１と異なる点に関して、図１２のフローチャート順に説明する。 
【００３０】
まず、ステップS101で実施例１と同様に画像を取得した後に、ステップS101’で第１の画像縮小処理部R200が画像を縮小して画像２を出力する。次に、ステップS102’で、第２の画質変更処理部R102が縮小画像の画質を変更して画像３として画像表示部R130に出力する。この構成により、画像表示部R130に表示する画像３は、実施例１の画像表示に比較すると、高速で表示することが可能となる。ステップS104〜S106の処理は実施例１と同じである。ステップS101で取得した画像の画質変更は、ステップS109で実行する。ステップS109では、画像処理部R101が画像の画質を変更して、画像１として画像出力部R120へ入力する。ステップS110の処理は実施例１と同じである。
【００３１】
＜実施例３＞
図１３は、実施３に係る画像処理装置の機能ブロック図である。図７及び図１４は、本実施例に係る画像処理装置の動作を示すフローチャートである。実施例１と本実施例とで図の符号番号が同じブロックは、同一であることを意味し、図の紙面スペースの関係上、一部の記載を省略してある。以下では実施例１と異なる点に関して、図７及び図１４のフローチャート順に説明する。
【００３２】
本実施例では、実施例１における画像縮小処理（図７のステップS103）を、図１４のフローチャートに示すように実行する。その他の処理は実施例１と同じである。
【００３３】
まず、ステップS201で、鮮鋭度算出部R15２が画像１の鮮鋭度を算出し、算出した鮮鋭度をフィルタ算出部R150へ入力する。ここで鮮鋭度とは、画像表示デバイスにおける、単位面積あたりの高周波成分の割合である。画像表示デバイスとは、ディスプレイのような発光体デバイスだけでなく、フィルムとシャーカステンとの組み合わせのような観察デバイスも含む。鮮鋭度算出部R15２は、出力画像の画像表示デバイスの解像度１と出力画像に基づいて鮮鋭度を算出する。鮮鋭度算出は、たとえば、「(1)画像にハイパスフィルタをかけて、(2)ハイパスフィルタ出力の画像の画素値の絶対値を加算して、(3)単位面積あたりの量を出力する」という方法がある。または、鮮鋭化されている画像ほど画素値の分布に広がりがあることから、エントロピーを指標に用いて鮮鋭度を算出してもよい。
【００３４】
次にステップS202で高周波低減フィルタR202’のフィルタ係数の初期値を与える。この値は何でもよいが、縮小率が大きいほどカットオフ周波数が大きくなるように定めた方が望ましい。ステップS203で、画像縮小処理部R200’が画像表示部R130に画像２を出力する。画像縮小処理部R200’の高周波低減フィルタR202’は、ステップS202で与えたフィルタ係数を用いて高周波低減処理を行う。ステップS204で、鮮鋭度算出部R151が画像２の鮮鋭度を算出する。画像表示部R130の解像度２を鮮鋭度算出部R151へ入力して、ステップS201と同様の計算で鮮鋭度を算出し、算出した鮮鋭度をフィルタ算出部R150へ入力する。
【００３５】
次にステップS205では、フィルタ算出部R150が画像１と画像２の鮮鋭度の差を計算して、差が所定範囲内に収まっているかどうかを判定する。差が所定範囲内に収まっていない場合は、ステップS206へ進む。差が所定範囲内に収まっている場合は、図14のフローチャートの「おわり」に到着し、図７のS104へ進む。
【００３６】
ステップS206では、フィルタ算出部R150が高周波低減フィルタR202’のフィルタ係数を算出する。このフィルタ係数は、画像１の鮮鋭度と画像２の鮮鋭度が一致するように算出する。画像２の鮮鋭度が画像１の鮮鋭度より大きい場合は、高周波低減フィルタのカットオフ周波数が現時点のカットオフ周波数より低くなるようにフィルタ係数を算出する。画像２の鮮鋭度が画像１の鮮鋭度より小さい場合は、高周波低減フィルタのカットオフ周波数が現時点のカットオフ周波数より高くなるようにフィルタ係数を算出する。算出したフィルタ係数は、高周波低減フィルタR202’へ与えて、ステップS203へ戻る。なお、画像１の鮮鋭度と画像２の鮮鋭度を完全に一致させることは技術的に困難であるため、ステップS205では、差が所定範囲内に収まっていれば、ほぼ一致していると判断して次の処理へ進むようにしている。
【００３７】
本実施例では、縮小率に応じた高周波低減フィルタを自動算出するため、縮小率毎に高周波低減フィルタのカットオフ周波数を決定する作業が不要となる。
【００３８】
＜実施例４＞
図１５は、実施例４に係る画像処理装置の機能ブロック図である。図７及び図１６は、本実施例に係る画像処理装置の動作を示すフローチャートである。実施例１、実施例３と本実施例とで図の符号番号が同じブロックは、同一であることを意味し、図の紙面スペースの関係上、一部の記載を省略してある。以下では実施例１、実施例３と異なる点に関して、図７及び図１６のフローチャート順に説明する。
【００３９】
本実施例では、実施例１における画像縮小処理（図７のステップS103）を、図１６のフローチャートに示すように実行する。その他の処理は実施例１と同じである。
【００４０】
まず、ステップS301で、出力画像を観察する場合の画角１を、不図示の画角入力部からフィルタ算出部R160へ入力する。ステップS302で、画像２を画像表示部R130で観察する場合の画角２を不図示の画角入力部からフィルタ算出部R160へ入力する。次にステップS303で、フィルタ算出部R160がフィルタ係数を算出して、高周波低減フィルタR202’へ出力する。ここで図１６のフローチャートの「おわり」に到着して、図７のS104へ進む。
【００４１】
ここで画角１と画角２が同じ場合は、図３の位置関係において、モニタ１に画像２を縮小表示していて、モニタ２に出力画像を表示している状況に相当する。観察者は両者を区別できないため、画像の雰囲気は同じである。そのため、画角１と画角２が同じ場合は、高周波低減フィルタを働かせないように、フィルタ係数を算出する。たとえば、インパルス応答と同じフィルタ係数を与える。または、たとえば高周波低減フィルタのカットオフ周波数が十分高くなるようなフィルタ係数を与えてもよい。画角２が画角１より狭い場合は、高周波低減フィルタのカットオフ周波数が低くなるようなフィルタ係数を与える。画角２が画角１より広い場合は、高周波低減フィルタを働かせないように、フィルタ係数を算出する。本実施例では、画角２が画角１より広い場合は、高周波低減フィルタを働かせないようにしているが、不図示の高周波強調フィルタにより、画像２を鮮鋭化してもよい。
【００４２】
＜その他の実施例＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013135365.tif 000003
【図２】
2013135365.tif 000004
【図３】
2013135365.tif 000005
【図４】
2013135365.tif 000006
【図５】
2013135365.tif 000007
【図６】
2013135365.tif 000008
【図７】
2013135365.tif 000009
【図８】
2013135365.tif 000010
【図９】
2013135365.tif 000011
【図１０】
2013135365.tif 000012
【図１１】
2013135365.tif 000013
【図１２】
2013135365.tif 000014
【図１３】
2013135365.tif 000015
【図１４】
2013135365.tif 000016
【図１５】
2013135365.tif 000017
【図１６】
2013135365.tif 000018